(57)【要約】【課題】複数種類の竪樋を保持できて汎用性に優れた外壁用役物及びこれを備えた外壁用役物セットを提供する。【解決手段】建物外壁３に形成された屋外側に開口する縦溝部５内に配設される長尺且つ断面略凹状の竪樋収納部９を有する。竪樋収納部９の両側片部１４に竪樋収納部９に収納された竪樋４の外面に当接して当該竪樋４を保持する竪樋保持部１１が形成される。各竪樋保持部１１が竪樋収納部９の幅方向外側に向かって突となる断面弧状に形成されて、弧の両側部分が弾性片部１６で構成されている。【選択図】図１
2011127364.tif 000002
【特許請求の範囲】
【請求項１】
建物外壁に形成された屋外側に開口する縦溝部内に配設される長尺且つ断面略凹状の竪樋収納部を有し、竪樋収納部の両側片部に竪樋収納部に収納された竪樋の外面に当接して当該竪樋を保持する竪樋保持部が形成され、各竪樋保持部が竪樋収納部の幅方向外側に向かって突となる断面弧状に形成されて、弧の両側部分が弾性片部で構成されていることを特徴とする外壁用役物。
【請求項２】
請求項１に記載の外壁用役物と、押さえ具を備えた外壁用役物セットであって、押さえ具の両側に外壁用役物の両側の夫々に係合される被係合部が形成され、該押さえ具は、両被係合部が外壁用役物の両側に係合されることで外壁用役物に取り付けられ、この取付状態で、竪樋収納部に収納保持された竪樋の屋外側の面に当接する当接部を有することを特徴とする外壁用役物セット。
【発明の詳細な説明】
【技術分野】
【０００１】
本発明は竪樋収納部を備えた外壁用役物及びこれを備えた外壁用役物セットに関する。
【背景技術】
【０００２】
従来、竪樋を建物外壁に取り付けるにあたって、外壁用役物を用いることが例えば特許文献１（図２参照）に開示されている。
【０００３】
この外壁用役物は断面略凹状で上下に長い竪樋収納部を有している。該竪樋収納部は建物外壁面に形成された縦溝部に屋外側に開口するよう配設され、この竪樋収納部に竪樋が収納される。この竪樋は両側の外側面に形成された凹溝に、竪樋収納部の両側の側片部に突設されたリブが嵌入されて保持され、別途固定具を用いることなく竪樋を保持できる。また、竪樋を建物外壁面の縦溝部に設けられた竪樋収納部に収納するので、竪樋の建物外壁面からの突出量を抑えて外観を向上できる。またこの竪樋は特許文献１の図１に示される控え金具を用いることなく施工できるので、外部から人が控え金具を伝って建物に侵入すること等を防止できて防犯上好ましい。
【先行技術文献】
【特許文献】
【０００４】
【特許文献１】特開２００８−１３３６０４号公報
【発明の概要】
【発明が解決しようとする課題】
【０００５】
ところで前記外壁用役物はリブを竪樋の凹部に嵌入することで竪樋を保持するので、凹部を有さない角型の竪樋や丸型の竪樋を保持することができず、汎用性が優れない。
【０００６】
本発明は上記事情に鑑みてなされたものであって、複数種類の竪樋を保持できて汎用性に優れた外壁用役物及びこれを備えた外壁用役物セットを提供することを課題とする。
【課題を解決するための手段】
【０００７】
上記課題を解決するために本発明の外壁用役物は、以下の構成を有する。建物外壁３に形成された屋外側に開口する縦溝部５内に配設される長尺且つ断面略凹状の竪樋収納部９を有する。竪樋収納部９の両側片部１４に竪樋収納部９に収納された竪樋４の外面に当接して当該竪樋４を保持する竪樋保持部１１が形成される。各竪樋保持部１１が竪樋収納部９の幅方向外側に向かって突となる断面弧状に形成されて、弧の両側部分が弾性片部１６で構成されている。
【０００８】
この外壁用役物１は、竪樋４が丸型竪樋４ａの場合、断面弧状の各竪樋保持部１１に丸型竪樋４ａの外面を当接させることで、竪樋収納部９に収納した丸型竪樋４ａを保持できる。また、竪樋４が角型竪樋４ｂ、４ｃの場合、角型竪樋４ｂ、４ｃによって両竪樋保持部１１の弾性片部１６を竪樋収納部９の幅方向外側に向かって押圧し、竪樋４の外側面に各弾性片部１６を弾接させることで、竪樋４を両竪樋保持部１１間に保持できる。つまり本発明の外壁用役物１は、竪樋収納部９内に複数種類の竪樋４を保持することができて汎用性に優れている。
【０００９】
また本発明の外壁用役物を備えた外壁用役物セットは、以下の構成を有する。前記外壁用役物１に加えて押さえ具２を備え、押さえ具２の両側に外壁用役物１の両側の夫々に係合される被係合部２０が形成される。該押さえ具２は、両被係合部２０が外壁用役物１の両側に係合されることで外壁用役物１に取り付けられ、この取付状態で、竪樋収納部９に収納保持された竪樋４の屋外側の面に当接する当接部１９を有する。
【００１０】
この外壁用役物セットにあっては、押さえ具２を建物外壁３に設けられた外壁用役物１に取り付けることで、当接部１９を竪樋収納部９に収納保持された竪樋４の屋外側の面に当接させることができる。このため竪樋４が竪樋収納部９から屋外側に外れ難くなり、竪樋４を建物外壁３に強固に取り付けることができる。また、押さえ具２は両被係合部２０を外壁用役物１の両側に係合させることで簡単に外壁用役物１に取り付けることができる。また、押さえ具２は両被係合部２０を外壁用役物１の両側に係合させることで外壁用役物１に取り付けられるので、人が押さえ具２に手足を掛ける等して押さえ具２に大きな荷重が加わると外れやすい。このため外部から人が押さえ具２を伝って建物に侵入することを防止できる。
【発明の効果】
【００１１】
本発明にあっては、竪樋収納部内に複数種類の竪樋を保持することができて汎用性に優れた外壁用役物及びこれを備えた外壁用役物セットを提供できる。
【図面の簡単な説明】
【００１２】
【図１】本発明の実施形態の外壁用役物セットを用いて丸型竪樋を外壁に設けた状態を示す水平断面図である。
【図２】同上の一部図示を省略した斜視図である。
【図３】同上の外壁用役物に竪樋及び押さえ具を取り付ける前の状態を示す水平断面図である。
【図４】同上の押さえ具の取付方法を示す断面図である。
【図５】本発明の実施形態の外壁用役物セットを用いて凹溝を有する角型竪樋を外壁に設けた状態を示す水平断面図である。
【図６】同上の一部図示を省略した斜視図である。
【図７】本発明の実施形態の外壁用役物セットを用いて凹溝を有さない角型竪樋を外壁に設けた状態を示す水平断面図である。
【図８】本実施形態の外壁用役物に竪樋を収納保持したときに各弾性片部に作用する力を矢印で示した説明図であり、（ａ）は竪樋が丸型竪樋の場合であり、（ｂ）は竪樋が角型竪樋の場合である。
【図９】他の押さえ具を備えた外壁用役物セットを用いて丸型竪樋を外壁に設けた状態を示す水平断面図である。
【図１０】同上の一部図示を省略した斜視図である。
【発明を実施するための形態】
【００１３】
図１乃至８に示される本実施形態の外壁用役物１は、押さえ具２と併せて外壁用役物セットを構成する。
【００１４】
外壁用役物１は、薄板鋼板による板金加工で連続的に一体形成された長尺物であり、建物外壁３に形成された屋外側に開口する縦溝部５に配設される。縦溝部５は、奥面が外壁本体６で構成され、両側の側面が、外壁本体６の屋外側に横方向に並設された胴縁７と、外壁本体６に胴縁７を介して横方向に並設された外装パネルからなる外装材８で構成されている。
【００１５】
外壁用役物１は幅方向を左右方向とすると左右対称の部材であって、断面略凹状且つ長尺で縦溝部５に屋外側に開口するよう配設される竪樋収納部９と、竪樋収納部９の幅方向両側の側片部１４の屋外側縁から外側方に向けて突出するカバー部１０とを備えている。竪樋収納部９の厚み（屋内外方向の長さ）は縦溝部５の溝深さよりもやや大きく、また竪樋収納部９に配設される竪樋４の厚み（屋内外方向の長さ）よりも小さい。
【００１６】
竪樋収納部９の両側片部１４には、竪樋収納部９に収納された竪樋４の外面に当接して竪樋４を保持する竪樋保持部１１が形成されている。両竪樋保持部１１は竪樋収納部９の屋外寄りの箇所に竪樋収納部９の長手方向に亘って形成されている。各竪樋保持部１１は、竪樋収納部９の両側片部１４に形成された内側方に突出する突出部１２の先端に形成され、図３のように竪樋収納部９の幅方向外側に向かって突となる断面弧状に形成されている。各竪樋保持部１１の弧の両側部分は突出部１２より突出して先端が自由端となった弾性片部１６で構成されている。
【００１７】
両竪樋保持部１１の竪樋収納部９幅方向内側に臨む面１３は互いに対向し、竪樋保持部１１の長手方向で見て、曲率半径が図１等に示される丸型竪樋４ａの外周面の曲率半径よりもわずかに小さくなっている。各竪樋保持部１１の屋内外方向の長さは、図５に示される角型竪樋４ｂの外側面に形成された凹溝１５の溝幅よりも長くなっている。竪樋収納部９の両側片部１４の屋外側縁には、竪樋収納部９の幅方向内側に向かって突出する係合片部１７が形成されている。
【００１８】
外壁用役物１は縦溝部５内に配置された竪樋収納部９の底部をねじ等の固着具を用いて外壁本体６に固着することで取り付けられる。この取付状態では、外壁用役物１の両側のカバー部１０が対応する外装材８の側端部の屋外側を覆う。各カバー部１０と外装材８の間はシール材等により防水がなされる。
【００１９】
外壁用役物１の竪樋収納部９に竪樋４を収納保持するには、両竪樋保持部１１間に屋外側から弾性片部１６を変形させながら竪樋４を挿入し、各竪樋保持部１１の面１３を竪樋４の側端部外面に当接する。これにより竪樋４は一部が竪樋収納部９よりも屋外側に突出した状態で竪樋収納部９に収納保持される。
【００２０】
竪樋収納部９には、左右幅が同じ複数種類の竪樋４、具体的には図１に示される丸型竪樋４ａ、図５に示される凹溝１５を有する角型竪樋４ｂ、及び図７に示される凹溝１５を有さない角型竪樋４ｃを収納保持できる。
【００２１】
すなわち両竪樋保持部１１の間に竪樋４が挿入されると、断面形状が異なる竪樋４ａ〜４ｃのいずれを挿入した場合も、図８（ａ）及び図８（ｂ）に示すように各弾性片部１６が竪樋４によって図中矢印で示す竪樋収納部９の幅方向外側に向かって押圧されて弾性変形し、これら弾性片部１６が竪樋４の外側面に弾接し、これによって竪樋４の屋内外方向の中央部が両竪樋保持部１１間に挟持される。
【００２２】
なお図５のように角型竪樋４ｂの屋内外方向の中央部には長手方向に亘って形成された凹溝１５が形成されているが、竪樋収納部９に角型竪樋４ｂを収納保持した場合、各竪樋保持部１１は両弾性片部１６が角型竪樋４ｂの凹溝１５を挟んだ外側面に弾接するため、支障なく角型竪樋４ｂを保持することができる。
【００２３】
また図５や図７のように竪樋収納部９に角型竪樋４ｂ、４ｃを収納保持した場合、弧状の各弾性片部１６は角型竪樋４ｂ、４ｃのフラットな側面部によって押圧され、このときの各弾性片部１６の外側方への変形量は丸型竪樋４ａを収納保持する場合と比較して若干大きくなる。このため両竪樋保持部１１によって角型竪樋４ｂ、４ｃが挟持される力は丸型竪樋４ａを保持するときより大きくなり、両竪樋保持部１１が角型竪樋４ｂ、４ｃが屋内外方向に外れやすい略直線状に変形するにも関わらず、角型竪樋４ｂ、４ｃを確実に保持できる。このように外壁用役物１は竪樋収納部９内に複数種類の竪樋４を保持することができて、汎用性に優れている。
【００２４】
押さえ具２は外壁用役物１の長手方向の一乃至複数箇所に取り付けられて、竪樋収納部９に収納保持された竪樋４が屋外側に脱落することを防止する。押さえ具２には図１等に示される丸型竪樋４ａ用の押さえ具２ａと、図５等に示される角型竪樋４ｂ用の押さえ具２ｂと、図７に示される角型竪樋４ｃ用の押さえ具２ｃの３種類がある。いずれの押さえ具２ａ〜２ｃも合成樹脂製で竪樋４と外観を合わせるため対応する竪樋４と同じ材料で形成されている。
【００２５】
押さえ具２ａ〜２ｃは対応する竪樋４の屋外側部分の外周面に沿って屈曲した帯状の当接部１９で主体が構成されている。すなわち押さえ具２ａの当接部１９は断面略円弧状に形成され、押さえ具２ｂ、２ｃの当接部１９は断面略凹状に形成されている。
【００２６】
押さえ具２ａ〜２ｃの両端部には、竪樋収納部９の両側に形成された係合片部１７の夫々に係合される被係合部２０が形成されている。各押さえ具２ａ〜２ｃの両側の被係合部２０のうち一方の被係合部２０ａは、当接部１９の端部から外側方に向けて突出し、当接部１９と略同じ厚みの薄片状に形成されている。これに対して他方の被係合部２０ｂは、当接部１９の端部を外側に膨出して形成され、屋内側程細くなる略楔状に形成されている。
【００２７】
押さえ具２ａ〜２ｃを建物外壁３に設けられた外壁用役物１に取り付けるには、まず図４のように一方の被係合部２０ａを対応する係合片部１７と竪樋４との間の隙間２２に屋外側から挿入し、該被係合部２０ａを対応する係合片部１７に引っ掛ける。続いて係合片部１７に引っ掛けた被係合部２０ａを支点にして、押さえ具２ａ〜２ｃを図４矢印に示す屋内側方向に回動し、当接部１９を弾性変形させながら他方の被係合部２０ｂを対応する係合片部１７と竪樋４との間の隙間２３に屋外側から挿入し、当接部１９から膨出した被係合部２０ｂを対応する係合片部１７の屋内側に係合させる。これにより両被係合部２０ａ、２０ｂが対応する係合片部１７と係合して、押さえ具２が外壁用役物１に取り付けられる。
【００２８】
この取付状態における押さえ具２の当接部１９の屋内側の面は竪樋４の屋外側の外面に合致し、竪樋４を屋内側に押圧する。このため竪樋収納部９に収納保持された竪樋４はより一層屋外側に外れ難くなり、竪樋４は建物外壁３に強固に取り付けることができる。また押さえ具２は両被係合部２０ａを竪樋収納部９両側の係合片部１７の夫々に係合することにより簡単に外壁用役物１に取り付ることができる。また、押さえ具２は両被係合部２０を外壁用役物１の両側に係合させることで外壁用役物１に取り付けられるので、人が押さえ具２に手足を掛ける等して押さえ具２に大きな荷重が加わると容易に外れるようになっている。このため外部から人が押さえ具２を伝って建物に侵入することを防止できる。
【００２９】
なお本実施形態では、外壁用役物１が設けられる縦溝部５を外壁本体６、胴縁７、及び外装材８にて構成したが、縦溝部５はこれに限定されるものではない。また、外壁用役物１及び押さえ具２も適宜設計変更可能である。例えば外壁用役物１は、竪樋保持部１１を竪樋収納部９の突出部１２を設けていない側片部１４に設ける等してもよい。また押さえ具２ａ〜２ｃは、例えば図９及び図１０に示されるように両端部の屋外側の面に突起２５を設け、これを係合片部１７の屋外側に係合される被係合部２０とする等してもよい。また、外壁用役物１に収納保持される竪樋４は竪樋４ａ〜４ｃに限定されるものではなく、その他、弧状の竪樋保持部１１で保持できるものであればよい。
【符号の説明】
【００３０】
１  外壁用役物
２  押さえ具
３  建物外壁
４  竪樋
５  縦溝部
９  竪樋収納部
１１  竪樋保持部
１６  弾性片部
１９  当接部
２０  被係合部
【図１】
2011127364.tif 000003
【図２】
2011127364.tif 000004
【図３】
2011127364.tif 000005
【図４】
2011127364.tif 000006
【図５】
2011127364.tif 000007
【図６】
2011127364.tif 000008
【図７】
2011127364.tif 000009
【図８】
2011127364.tif 000010
【図９】
2011127364.tif 000011
【図１０】
2011127364.tif 000012